(57)【要約】【課題】本発明は、光源から発光された光を導光板を通じて放射させて照明及び広告機能ができるようにする導光板照明装置に関し、特に導光板を複数個の光放射ブロックで区画してそれぞれ別に光を照らすことによってブロックごとに明るさを調節することができ、多様な形象や色相の表現が可能であり、従来の導光板より明るい照度を有することはもちろん、外観を損なわずに壁面または天井などに設置がし易い導光板照明装置を提供するものである。【解決手段】  本発明に係る導光板照明装置は、光が放射される前面を複数個の部分で区画できるように前面または後面に光透過防止溝が形成されている板形象の導光板と、前記導光板が光を反射することができるように光源部とから構成される。【選択図】図２
2010525541.tif 000002
【特許請求の範囲】
【請求項１】
光透過防止溝を形成して光が放射される前面を複数個の部分に区画化またはブロック化した導光板と、前記導光板が光を反射することができるように光源部とを含むことを特徴とする導光板照明装置。
【請求項２】
前記光透過防止溝は前記導光板を穿孔した穿孔部であることを特徴とする、請求項１に記載の導光板照明装置。
【請求項３】
前記導光板の後面に設けられた光源部の光を反射するための光反射部をさらに含むとともに、前記光反射部が光反射溝または印刷層のうちの何れかひとつであることを特徴とする、請求項１に記載の導光板照明装置。
【請求項４】
前記光透過防止溝には光遮断物質が塗布または充填されていることを特徴とする、請求項１に記載の導光板照明装置。
【請求項５】
前記光源部は前記光透過防止溝に挿入設置されることを特徴とする、請求項１に記載の導光板照明装置。
【請求項６】
前記光源部は前記光透過防止溝を境目にして両側に分離した前記導光板の二つの部分のうちの何れか一側だけで光を発光するように設置されるか、もしくは両側で光を発光するように設置されることを特徴とする、請求項５に記載の導光板照明装置。
【請求項７】
前記光源部の後面側には、光源部を外部環境から保護するとともに、光源部から発生する熱を放熱するための保護カバーを設けたことを特徴とする、請求項５に記載の導光板照明装置。
【請求項８】
前記導光板の後面側に設けられ、前記光源部から発光された光を前面側に反射させる反射シートをさらに含むことを特徴とする、請求項１乃至請求項７のうちいずれか一つに記載の導光板照明装置。
【請求項９】
前記反射シートの後面側に設けられ、前記反射シートを導光板に密着させるとともに、光源部の保護カバーと密着し、前記光源部の熱を放熱させる固定板をさらに含むことを特徴とする、請求項８に記載の導光板照明装置。
【請求項１０】
前記導光板の後面側にカラーシート、紙または布のうちいずれか一つをさらに附着したことを特徴とする、請求項１乃至請求項７のうちいずれか一つに記載の導光板照明装置。
【請求項１１】
前記導光板の側部には設置溝が形成され、前記設置溝には前記光源部が設置されることを特徴とする、請求項１または 請求項２に記載の導光板照明装置。
【請求項１２】
前記複数個に区画された導光板の各部分ごとに前記光源部が設置されることに加えて、前記光源部のうちいずれかひとつ以上が他の光源部と比べて色相、明度、照度及び彩度において異なる光を発光することを特徴とする、請求項１乃至請求項７のうちいずれか一つに記載の導光板照明装置。
【請求項１３】
前記導光板の光透過防止溝の底に反射シート、カラーシート、紙または布  のいずれか一つを取り付けることを特徴とする、請求項１乃至請求項７のうちいずれか一つに記載の導光板照明装置。
【発明の詳細な説明】
【技術分野】
【０００１】
本発明は、光源から発光された光を導光板を通じて放射させて照明及び広告機能を可能にする導光板照明装置に関するもので、特に導光板を複数個の光放射ブロックで区画してそれぞれ別に光を照らすことによって各ブロックごとに異なる明るさで照明装置を構成することができ、多様な形象や色相の表現が可能となり、従来の導光板を備えた照明装置より明るい照度を有するのはもちろん、外観を損なうことなく壁面または天井などに設置がし易い導光板照明装置に関するものである。
【背景技術】
【０００２】
一般的に、導光板を利用した照明装置は冷陰極線ランプ（ＣＣＦＬ）や発光ダイオード（ＬＥＤ）などのような光源を用いて、投光性プラスチックやアクリル樹脂材質からなる平板形状の導光板に光を投射することによって室内用照明や広告パネルとして使われている。
【０００３】
たとえば、図１に示されるように、導光板照明装置１００は、基板１３２上に固定されたＣＣＦＬやＬＥＤなどの光源１３１が保護カバー１３３を有する導光板１１０の両側面に設置されている。導光板１１０の後面には、複数の光反射溝１１１が所定形状で形成され、また、光反射溝１１１が形成された導光板１１０の後面上に反射シート１２０が設置されている。
【０００４】
したがって、外部から供給された電源によって光源１３１が発光を始めれば導光板１１０の内側に発光された光が光反射溝１１１によって反射して導光板１１０の前面に投射されることで、各種柄、文字、及び図形のような形象を表現することが可能となり、上述したように投射された光を利用して、室内用照明もしくは広告パネルとしての機能を実現し得る。
【発明の概要】
【発明が解決しようとする課題】
【０００５】
しかしながら、以上のような導光板照明装置１００は一つの導光板１１０全体を一つの光投射部としてのみ使用するようになっており、一つの導光板１１０を用いての部分毎の明るさの調節が不可能であり、多様な形象や色を有する各種植物や動物及び物体などを、部分毎に適切に表現することができないという問題点がある。
【０００６】
また、導光板１１０の両方の端部近くにだけ光源１３１が設けられているため、照明装置として必要十分な照度を得ることができずに、大型で且つ薄型の導光板照明装置１００を製作することができないという問題点もある。
【０００７】
さらに、以上のような導光板１１０を用いた照明装置を壁面または天井などに固定設置する際には、当該導光板照明装置１００の外観を損なわず安定して固定する手段がないという問題点もある。
【０００８】
そこで、本発明は、上記問題に鑑みてなされたものであり、本発明の目的とするところは、前述のような問題点を解決するため、光源から発光された光を導光板を通じて投射させて照明及び広告機能を可能にするとともに、導光板を複数個の光放射ブロックに区画し、それぞれブロックごとに異なる光を照らすことによって、それぞれのブロックを異なるレベルの明るさで構成することに加え、多様な形象や色相の表現が可能な導光板照明装置を提供することにある。
【０００９】
そして、本発明の他の目的は導光板照明装置を充分な照度を有するように構成することで、大型で且つ薄型の導光板照明装置を提供することにある。
【００１０】
また、本発明の他の目的は、装置外観を損なわずに、壁面または天井などに設置が容易な導光板照明装置を提供することにある。
【課題を解決するための手段】
【００１１】
前記課題を解決するために、本発明の導光板照明装置は、 光透過防止溝を形成して光が放射される前面を複数個の部分に区画化またはブロック化した導光板と、前記導光板が光を反射することができるように形成された光源部を含むことを特徴とする。
【００１２】
本例において、前記光透過防止溝は前記導光板に設けられた穿孔部である。
【００１３】
また、前記照明装置は、前記導光板の後面に設けた光源部からの光を反射するための光反射部をさらに含み、その光反射部は光反射溝または印刷層のうちのいずれか一つである。
【００１４】
また、前記光透過防止溝には光遮断物質が塗布または充填されることが望ましい。
【００１５】
また、前記光源部は前記光透過防止溝に挿入設置されるのが望ましい。
【００１６】
また、前記光源部は、前記光透過防止溝を境目にして、両側に分離した前記導光板の二つの部分のうちいずれか一側又は両側に光を発光するように設置されている。
【００１７】
また、光源部を外部環境から保護して、光源部から発生する熱を放熱するための保護カバーが、前記光源部の後面側に取り付けられることが望ましい。
【００１８】
また、前記照明装置は、前記導光板の後面側に結合され、前記光源部から発光された光を前面側に反射させる反射シートをさらに含むことが望ましい。
【００１９】
また、前記照明装置は、前記反射シートの後面側に結合して、前記反射シートを導光板に密着させ、光源部の保護カバーと密着して、光源部の熱を放熱させる固定板をさらに含むことが望ましい。
【００２０】
また、前記照明装置は、前記導光板の後面側にカラーシート、紙または布のうちいずれか一つをさらに附着することが望ましい。
【００２１】
また、前記導光板は、その側部に設置溝が形成され、前記設置溝には前記光源部が設置されることを特徴とする。
【００２２】
また、前記光源部には、前記複数個に区画された導光板の各部分ごとに前記光源部がそれぞれ設置され、前記光源部のうちいずれか一つ以上は他の光源部と比べて異なる色相、明度、照度及び彩度の光を発光することを特徴とする。
【００２３】
また、前記照明装置には、前記導光板の光透過防止溝に反射シート、カラーシート、紙または布のうちいずれか一つが附着されることが望ましい。
【発明の効果】
【００２４】
以上のような本発明の導光板照明装置によれば、光源から発光された光を導光板を通じて投射させて照明及び広告機能を可能にし、導光板を複数個の光放射ブロックで区画してそれぞれ別に光を照らすことによってブロックごとに異なる明るさで構成することができるとともに、多様な形象や色相の表現が可能となる。
【００２５】
そして、導光板照明装置が充分な照度を有するように構成することで、大型で且つ薄型の導光板照明装置の製造を可能とし、加えて外観を損なわずに壁面または天井への設置が非常に容易となる。
【図面の簡単な説明】
【００２６】
【図１】従来の導光板照明装置断面図である。
【図２】本発明に係る導光板照明装置の分解斜視図である。
【図３】本発明に係る導光板照明装置の断面図である。
【図４】（ａ）〜（ｃ）は、導光板照明装置の光透過防止溝の様々な実施の形態を示した図である。
【図５】導光板の両端部に埋め込まれた光源部を示した図である。
【図６】本発明に係る導光板照明装置の一実施の形態を示した図である。
【図７】（ａ）〜（ｄ）は、導光板照明装置の光透過防止溝に光源部が設置されている様々な実施の形態を示した図である。
【図８】光透過防止溝にカバー部材が附着した状態を示した図である。
【図９】導光板にシート部材が附着した状態を示した図である。
【図１０】導光板における光源部の設置用穿孔部を示した図である。
【発明を実施するための形態】
【００２７】
以下に添付図面を参照しながら、本発明の好適な実施の形態について詳細に説明する。
【００２８】
図２は本発明に係る導光板照明装置の分解斜視図で、図３は本発明に係る導光板照明装置の断面図であり、図４の(ａ)乃至（ｃ）は導光板照明装置の光透過防止溝の様々な実施の形態を示した図で、図５は導光板の両端部に埋め込まれた光源部を示した図面である。
また、図６は本発明に係る導光板照明装置の一実施の形態を示した図で、図７の(a)乃至(d)は導光板照明装置の光透過防止溝に光源部が設置された様々な実施の形態を示した図であり、図８は各光透過防止溝にカバー部材が附着した状態を示した図で、図９は導光板にシート部材が附着した状態を示した図であり、図１０は導光板の光源部設置用穿孔部を示した図である。
【００２９】
先ず、図２に示されているように本発明に係る導光板照明装置２００は、表面に溝を形成させる加工が容易で、光透過率が高い投光性プラスチックまたはアクリル樹脂などからなる導光板２１０と、所定パターンの電気回路が形成されている基板２３１上にＣＣＦＬやＬＥＤなどの光源２３２が設置されて成る光源部２３３と、前記光源部２３３を保護するための保護カバー２３４からなる光源部とをその主要構成とする。
【００３０】
また、前記導光板照明装置２００は、必要によっては前記導光板２１０の後面側で前記導光板２１０と平行に結合される反射シート２２０をさらに含み光反射効率を高めるように構成される。
【００３１】
本例では、図３に示すように、前記導光板２１０の後面には、当該導光板２１０が所定形象の境界面を有する複数個のブロックに区画されるように光透過防止溝２１１が形成されている。従って、一つの導光板２１０を利用して多様な形象を表現することができるようになることは勿論、前記区画された部分に設置された、それぞれ異なる特性の光源部によって、各々お互い異なる色相、明度、照度及び彩度を表現することができるようになる。
【００３２】
共に、本実施例の導光板照明装置２００では、前記のように一つの導光板２１０を複数個のブロックで区画することと同時に、従来同様に前記区画された各部分に物体の所定形象に付いて光反射溝２１２を形成することで、光源部２３３から放出された光が前記光反射溝２１２によって反射して導光板２１０の前面を通じて投射されることができるように構成される。
【００３３】
そして、光源２３２が設置されている各基板２３１の一側または両側には、鏡やシルバーペースト(ｓｉｌｖｅｒ ｐａｓｔｅ)などを付着または塗布することによって光反射率を高める反射部２３５が設置されていることが望ましい。
【００３４】
したがって、第1の基板２３１に設置された光源２３２から発光された光が光透過防止溝２１１によって反射して戻り、その反射した光が第1の基板２３１に設置された反射部２３５によってまた再反射されるようにしたり、第1の基板２３１に設置された光源２３２から発光された光が、第1の基板２３１と対向する第２の基板２３１まで到達されれば、その到達された光を第２の基板２３１の反射部２３５で反射させて、導光板２１０の前面を通じる光投射効率を高めることができるようになる。
【００３５】
前記のように導光板２１０の中間に所定の幅と所定の深さで光透過防止溝２１１を形成することで、前記導光板２１０両側の光源部２３３から放射された一部の光のみが、前記光透過防止溝２１１と導光板２１０の前面の間で導光板２１０を通過することとなり、よって各ブロック別で照度が異なる導光板照明装置２００が構成される。
【００３６】
すなわち、図３に示すように、導光板２１０は二つの光透過防止溝２１１を形成することで、導光板２１０が三つのブロックに分けられる。前記導光板２１０の両側端部に設置された光源部２３３から放射された光により、前記導光板２１０の外側二つのブロックは明るい照度を有するが、前記導光板２１０の中間ブロックは、前記光源部２３３から放射された光が光透過防止溝２１１によって遮られるため、前記外側二つのブロックに比べて低い照度を有するようになる。
【００３７】
本例においては、図３に示すように、前記導光板２１０の中間ブロックの照度は前記導光板２１０に形成された光透過防止溝２１１の深さによって決まる。前記光透過防止溝２１１の深さが深ければ、光源部２３３から放射される光の大部分が前記光透過防止溝２１１によって遮られることで、導光板２１０の中間ブロックの照度が低くなる。前記光透過防止溝２１１の深さが浅ければ、光源部２３３から放射される光が前記光透過防止溝２１１によって遮られる量が少なくなるため、前記の中ブロックの照度が明るくなる。
【００３８】
一方、図４の(a)に示すように、前記光透過防止溝２１１は、導光板２１０が光を完全には切断しないほどに、所定の光透過率に合わせて、当該導光板２１０の厚さ方向に深さを調節して掘ってあり、また前記加工された光透過防止溝２１１の表面は荒いため、当該光透過防止溝２１１を前記光源部２３３から発光された光は、ほとんど通過することができない。
【００３９】
しかし、図４の(b)に示すように、光透過防止溝２１１の表面に光透過防止物質または光反射物質２１１’をコーティングしたり、図４の(c)に示すように、光透過防止溝２１１に光透過防止物質または光反射物質２１１’を充填することで、区画された各ブロック間の光遮断特性をさらに向上させるようにすることが望ましい。
【００４０】
また、光透過防止溝２１１は、図４の(a)に示すように、その断面が三角形になるように形成できるが、図４の(b)に示すように、楕円形としたり、図４の(c)に示すように、四角形に形成し、図７の(a)乃至(d)のように、前記光透過防止溝２１１に光源部２３３を挿入及び固定し易いようにしてもよい。
【００４１】
前記光透過防止溝２１１に光源部２３３を挿入して導光板照明装置２００を構成することは以後に詳らかに説明ずる。
【００４２】
そして、図７の(d)に示すように、導光板２１０の前後面にそれぞれ光透過防止溝２１１を加工し、前記導光板２１０前後面の光透過防止溝２１１が直線上に位置せず、お互いに一部分が重なるように加工することで、光源２３２の光が横のブロックに漏れることを遮断する方法も可能である。
【００４３】
そして、基板２３１と光源２３２を含む光源部２３３は、図２に示されるように、プラスチックまたは金属材質からなる保護カバー２３４によって導光板２１０の両側縦断部に支持及び固定することもできるが、図５に示されるように、導光板２１０の両側縦断部に挿入溝２１３ａを形成して、導光板２１０の内側を向けて発光されるように光源部２３３を挿入設置した後、従来のようなフレーム形態の保護カバー２３４代りに絶縁テープなどのような保護カバー２３４ａを利用して挿入溝２１３を塞ぐことも可能である。
【００４４】
前記のように光透過防止溝２１１で導光板２１０を多くブロックで区分することで導光板照明装置２００は多様な文様と色彩を表現することが可能となる。その一例として図６に示すように、導光板２１０の中心部にひまわりの種子部分を表現するように円型の光透過防止溝２１１ａを形成して、前記円型の光透過防止溝２１１ａの外側に花びら形象の光透過防止溝２１１ｂを形成することによって、全体的にはひまわり模様を成すように第１ブロック乃至第３ブロックＢＬ１’〜ＢＬ３’に区画して、この時第１ブロックＢＬ１’にはひまわりの種子模様をさらに細密に表現するように直交形象の光反射溝２１２ａ’を形成する。第２ブロックには該当のブロック全体に光反射溝２１２ｂ’を形成する。円型の光透過防止溝２１１ａにはその内側を向けて発光する栗色系列の光源２３２ａ’を挿入設置して、花びら形象の光透過防止溝２１１ｂには、その内側を向けて発光するように黄色系列の光源２３２ｂ’を挿入設置する。
【００４５】
したがって、第１ブロックＢＬ１’ に向けて発光された栗色光は、直交形象の光反射溝２１２ａ’によって反射されることによって、導光板２１０の前面を通じて直交形象を成す栗色光が投射される。第２ブロックＢＬ２’に向かって発光された黄色光は、花びら形象を成す光反射溝２１２ｂ’によって反射されることによって、導光板２１０の前面を通じて花びら形象の黄色光が投射される。従って、導光板２１０は、全体的にはひまわり花形象で照明、インテリア及び広告などの機能を果たすことが可能となる。
【００４６】
ただ、以上では第１ブロックＢＬ１’と第２ブロックＢＬ２’を区画する円型の光透過防止溝２１１ａに栗色光源２３２ａ’を設置し、第２ブロックＢＬ２’と第３ブロックＢＬ３’を区画する花びら形象の光透過防止溝２１１ｂに黄色光源２３２ｂ’を設置したが、光透過防止溝２１１ａ、２１１ｂにそれぞれ光源２３２を設置する代りに一つの光透過防止溝２１１ａにその境界を中心に両側方向に光を発光するように光源２３２ａ’、２３２ｂ’を設置する構成も可能である。
【００４７】
すなわち、円型の光透過防止溝２１１ａ内に光源部２３３を設置するが、前記光源部２３３は基板２３１の一側面には栗色の光源２３２ａ’が設置されていて、他側面には黄色光源２３２ｂ’が設置されるように構成して、この時栗色の光源２３２ａ’は内側を向けて光を発光し、黄色い光源２３２ｂ’は外側を向けて光を発光するように光源部２３３を設置する構成も可能である。
【００４８】
そして、図７の(a)乃至(ｄ)に示すように、導光板２１０の光透過防止溝に光源部２３３を挿入設置することで従来の導光板照明装置１００に比べて大きく、さらに明るい導光板照明装置２００を構成することができる。
【００４９】
従来の導光板照明装置１００は、図１に示すように、導光板１００の端部にだけ光源１３１を設置していたため、導光板照明装置１００の照度を増加させるのにも限界があったし、大型の導光板照明装置１００を製作することができなかった。しかしながら、本発明の導光板照明装置２００は、前記導光板照明装置２００の光透過防止溝２１１に光源部２３３を挿入設置することで、従来の導光板照明装置１００に比べてさらに明るく大きい導光板照明装置２００の製作が可能である。
【００５０】
前記のように導光板２１０の光透過防止溝２１１に光源部２３３を挿入する時、光源部２３３の後面に "┏" または"  ┓" 形象の金属保護カバー２３４ａを締結して前記導光板２１０の光透過防止溝２１１に挿入設置することで、光源部２３３の維持及び補修が簡便となり、光源部２３３から光を発光する時発生する熱を前記保護カバー２３４ａによって外部に放熱することで、光源部２３３の寿命を延長させることができる。
【００５１】
そして、"┳" 形象の金属保護カバー２３４ａ両側に光源部２３３を設置して光透過防止溝２１１に挿入することで、前記光透過防止溝２１１両側ブロックに光を放射することができて導光板照明装置２００の照度を高めることもできる。
【００５２】
前記のように金属保護カバー２３４ａに光源部２３３を締結して前記導光板２１０の光透過防止溝２１１に装着する例が図７の(a)乃至(c)に示されている。
【００５３】
前記のように導光板２１０に二つの光透過防止溝２１１が形成されることで三つのブロックが形成され、図７の(a)は光源部２３３の光源が導光板２１０の外側ブロックに光が放射するようにすることで導光板２１０の中間ブロックより外側二つのブロックがさらに明るく照らすようになる。また、図７の(b)は、光源部２３３の光源が導光板２１０の中間ブロックに光が放射されることで導光板２１０の外側ブロックより中間ブロックをさらに明るく照らすようになる。そして、図７の(c)は、光源が両側に形成された光源部２３３を光透過防止溝２１１に挿入することで、図７の(a)、(b)の導光板２１０よりさらに明るい導光板照明装置２１０が構成されるのである。
【００５４】
また、前記光源部２３３から放射される光を、導光板２１０の前面部にだけ放射されるようにする反射シート２２０の後面に固定板２３６を結合することで、前記固定板２３６が反射シート２２０を導光板２１０に密着させて光をさらによく反射させることができるようになる。
そして、さらに望ましくは前記固定板２３６を金属素材に成形することで、前記導光板２１０の光透過防止溝２１１に挿入された光源部２３３の保護カバー２３４ａと固定板２３６が密着され、光源部２３３で発生し保護カバー２３４ａを通じて放熱される熱が固定板２３６に伝達することで、放熱面積が増大されて冷却効率が上昇するようにすることが望ましい。
【００５５】
さらに、図７の(a)乃至(c)に示すように、光源部２３３が挿入された光透過防止溝２１１の導光板２１０の前面側に帯状のカバーシート２３７を附着させたり、または光源部２３３が挿入された光透過防止溝２１１の導光板２１０の前面側に帯状を印刷することで、導光板２１０の前面部で光源部２３３が挿入された光透過防止溝２１１が見えないようにすることが望ましい。
【００５６】
そして、導光板２１０の後面よりむしろ導光板２１０の前面に光透過防止溝２１１を加工して、前記導光板２１０前面に形成された光透過防止溝２１１に保護カバー２３４が締結された光源部２３３を挿入して、前記光源部２３３が挿入された光透過防止溝２１１の入口をテープで塞ぐことで導光板照明装置２００を構成することも可能である。
【００５７】
前記のように光源部２３３が導光板２１０前面に挿入された導光板照明装置２００の光源部２３３を故障や維持補修する際には、導光板２１０を壁から脱着することなしに、テープをとり除き、光源部２３３を入れ替えたり修理すれば良く、維持補修が非常に容易である。
【００５８】
そして、光源部２３３を導光板２１０の後面に形成された光透過防止溝２１１に挿入する場合には、図７の(a)乃至(c)に示すように、前記光源部２３３が見えないように導光板２１０の前面にカバーシート２３７を附着するが、図８に示すように、光源部２３３が挿入される光透過防止溝２１１の底にカバー部材２４１を形成することで、導光板２１０の前面に光源部２３３が見えないようにし、外観を良くすることもできる。
【００５９】
本例では、カバー部材２４１に、前記導光板２１０の後面に附着する反射シート２２０と同一な材質を用いることにより、導光板２１０の前面から見た時に、前記光透過防止溝２１１の底に附着したカバー部材２４１と導光板２１０の後面に附着した反射シート２２０とが一体感を感じることができる。
【００６０】
そして、図９に示すように、光透過防止溝２１１によって多くブロックに区分された導光板２１０の特定ブロック後面にカラーシート、紙または布などのシート部材２４２を附着して導光板照明装置２００を構成することで、導光板照明装置２００のブロックごとに異なった色相と質感とを表現することができる。
【００６１】
また、図１０に示すように、導光板２１０を穿孔して所定幅及び所定長さの光源部２３３設置用穿孔部２４３を形成して、前記穿孔部２４３にＬＥＤやＤＤＦＬなどの光源２３２を挿入設置することもできる。これによって、大きなＬＥＤまたはＣＣＦＬなどの光源２３２を、導光板２１０に穿孔した穿孔部２４３に容易に挿入設置することができる。
【００６２】
そして、以上のように照明、インテリア及び広告手段で使用可能な導光板照明装置２００は、外観を損なわず壁面または天井などに設置が可能になるように、図９に示すように、導光板２１０に所定形象の貫通孔２１４を形成して、前記貫通孔２１４の一側または両側表面に接するように固定フレーム（図示せず）を設置することによって、前記固定フレームが壁面または天井などに設置されている支持ロードと結合するように構成するのが望ましい。
【００６３】
また、導光板２１０の後面には光反射溝２１２が形成されており、前記光反射溝２１２によって反射した光が導光板２１０の前面を通じて投射することにより所定形象を表示できることは既に説明したが、前記光反射溝２１２が形成されていない部分にあたる導光板２１０の前面には、各種形象が印刷しているフィルムを附着させたり、所定形象の絵を描く方式で印刷層（図示せず）や陰刻を形成することで、前記印刷層と陰刻部及び光反射溝２１２によって投射された光を同時に利用して多様な形象を表現するようにすることが望ましく、これは本発明の範疇に含まれるものである。
【００６４】
以上で本発明に係る導光板照明装置に関して説明した。このような本発明の技術的構成は本発明が属する技術分野の当業者がその技術的思想や必須特徴を変更することなしに、他の具体的な形態で実施され得ることは理解する。
【００６５】
従って、上記実施の形態はすべての面で例示的なことであり、限定的なことではないこととして理解されるべきである。本発明の範囲は前述の詳細な説明よりは後述する特許請求範囲によって現わされて、特許請求範囲の意味及び範囲そしてその等価概念から導出されるすべての変更または変形された形態が本発明の範囲に含まれることとして解釈されなければならない。
【符号の説明】
【００６６】
２００・・導光板照明装置、２１０・・ 導光板、２１１・・光透過防止溝、２１２・・光反射溝、２１３・・挿入溝、２１４・・貫通孔、２２０・・反射シート、２３１・・基板、２３２・・光源、２３３・・光源部、２３４・・保護カバー、２３５・・反射部、２３６・・固定板、２３７・・カバーシート、２４０・・テープ、２４１・・ カバー部材、２４２・・ シート部材、２４３・・穿孔部。
【図１】
2010525541.tif 000003
【図２】
2010525541.tif 000004
【図３】
2010525541.tif 000005
【図４（ａ）】
2010525541.tif 000006
【図４（ｂ）】
2010525541.tif 000007
【図４（ｃ）】
2010525541.tif 000008
【図５】
2010525541.tif 000009
【図６】
2010525541.tif 000010
【図７（ａ）】
2010525541.tif 000011
【図７（ｂ）】
2010525541.tif 000012
【図７（ｃ）】
2010525541.tif 000013
【図７（ｄ）】
2010525541.tif 000014
【図８】
2010525541.tif 000015
【図９】
2010525541.tif 000016
【図１０】
2010525541.tif 000017
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
光の透過を遮断することにより、光が放射される前面を複数個の部分に区画する光透過防止溝と、
光源部から発光される光を反射する光反射部とを形成した導光板と、
前記導光板の光反射部または側面部に向けて光を発光する光源部と、
前記導光板の後面側に結合し、前記光源部から発光された光を前記導光板の前面方向に反射させる反射板とを含むことを特徴とする導光板照明装置。
【請求項２】
前記光反射部は、光反射溝または印刷層のうち何れか一つを備えることを特徴とする、請求項１に記載の導光板照明装置。
【請求項３】
前記光源部は、前記光透過防止溝に挿入設置されることを特徴とする、請求項１に記載の導光板照明装置。
【請求項４】
前記光源部は、前記光透過防止溝を境目にして両側に分離した前記導光板の二つの部分のうちの何れか、もしくは両側に光を発光するように設置されることを特徴とする、請求項３に記載の導光板照明装置。
【請求項５】
前記反射板の後面側に結合し、前記反射板を導光板に密着させるとともに、前記光源部の保護カバーと密着し、前記光源部の熱を放熱させる固定板をさらに含むことを特徴とする、請求項１に記載の導光板照明装置。
【請求項６】
前記光源部は、所定パターンの電気回路が形成されている基板と、前記基板に設置されて光を発光する光源と、前記基板に設置されて光の反射率を高める反射部とから構成されることを特徴とする、請求項１に記載の導光板照明装置。
【請求項７】
前記光源部の後面側に、前記光源部を外部環境から保護するとともに、前記光源部から発生する熱を放熱するための保護カバーをさらに設けたことを特徴とする、請求項６に記載の導光板照明装置。
【請求項８】
前記導光板の側部には設置溝が形成され、前記設置溝に前記光源部が設置されることを特徴とする、請求項１に記載の導光板照明装置。
【請求項９】
前記導光板の後面側に、カラーシート、紙または布のうち何れか一つをさらに附着したことを特徴とする、請求項１に記載の導光板照明装置。
【請求項１０】
前記光透過防止溝が前記導光板を穿孔した穿孔部であることを特徴とする、請求項１に記載の導光板照明装置。
【手続補正２】
【補正対象書類名】明細書
【補正対象項目名】０００４
【補正方法】変更
【補正の内容】
【０００４】
したがって、外部から供給された電源によって光源１３１が発光を始めれば導光板１１０の内側に発光された光が光反射溝１１１によって反射して導光板１１０の前面に投射されることで、各種柄、文字、及び図形のような形象を表現することが可能となり、上述したように投射された光を利用して、室内用証明もしくは広告パネルとしての機能を実現し得る。
［特許文献１］特開２００３−０８４１４０号公報
［特許文献２］韓国特許公開公報第２００３−００１６６３１号公報
［特許文献３］韓国特許公開公報第２００７−００４００１２号公報
【手続補正３】
【補正対象書類名】明細書
【補正対象項目名】００１１
【補正方法】変更
【補正の内容】
【００１１】
前記課題を解決するために、本発明のうち請求項１に記載の発明は、光の透過を遮断することにより、光が放射される前面を複数個の部分に区画する光透過防止溝と、光源部から発光される光を反射する光反射部とを形成した導光板と、前記導光板の光反射部または側面部に向けて光を発光する光源部と、前記導光板の後面側に結合し、前記光源部から発光された光を前記導光板の前面方向に反射させる反射板とを含むことを特徴とする。
【手続補正４】
【補正対象書類名】明細書
【補正対象項目名】００１２
【補正方法】変更
【補正の内容】
【００１２】
また、請求項２に記載された発明の構成は、請求項１に記載された発明において、前記光反射部は光反射溝または印刷層のうち何れか一つを備えることを特徴とする。
【手続補正５】
【補正対象書類名】明細書
【補正対象項目名】００１３
【補正方法】変更
【補正の内容】
【００１３】
また、請求項３に記載された発明の構成は、請求項１に記載された発明において、前記光源部は前記光透過防止溝に挿入設置されることを特徴とする。
【手続補正６】
【補正対象書類名】明細書
【補正対象項目名】００１４
【補正方法】変更
【補正の内容】
【００１４】
また、請求項４に記載された発明の構成は、請求項３に記載された発明において、前記光源部は、前記光透過防止溝を境目にして両側に分離した前記導光板の二つの部分のうちの何れか、もしくは両側に光を発光するように設置されることを特徴とする。
【手続補正７】
【補正対象書類名】明細書
【補正対象項目名】００１５
【補正方法】変更
【補正の内容】
【００１５】
また、請求項５に記載された発明の構成は、請求項１に記載された発明において、前記反射板の後面側に結合し、前記反射板を導光板に密着させるとともに、前記光源部の保護カバーと密着し、前記光源部の熱を放熱させる固定板をさらに含むことを特徴とする。
【手続補正８】
【補正対象書類名】明細書
【補正対象項目名】００１６
【補正方法】変更
【補正の内容】
【００１６】
また、請求項６に記載された発明の構成は、請求項１に記載された発明において、前記光源部は、所定パターンの電気回路が形成されている基板と、前記基板に設置されて光を発光する光源と、前記基板に設置されて光の反射率を高める反射部とから構成されることを特徴とする。
【手続補正９】
【補正対象書類名】明細書
【補正対象項目名】００１７
【補正方法】変更
【補正の内容】
【００１７】
また、請求項７に記載された発明の構成は、請求項６に記載された発明において、前記光源部の後面側に、前記光源部を外部環境から保護するとともに、前記光源部から発生する熱を放熱するための保護カバーをさらに設けたことを特徴とする。
【手続補正１０】
【補正対象書類名】明細書
【補正対象項目名】００１８
【補正方法】変更
【補正の内容】
【００１８】
また、請求項８に記載された発明の構成は、請求項１に記載された発明において、前記導光板の側部には設置溝が形成され、前記設置溝に前記光源部が設置されることを特徴とする。
【手続補正１１】
【補正対象書類名】明細書
【補正対象項目名】００１９
【補正方法】変更
【補正の内容】
【００１９】
また、請求項９に記載された発明の構成は、請求項１に記載された発明において、前記導光板の後面側に、カラーシート、紙または布のうち何れか一つをさらに附着したことを特徴とする。
【手続補正１２】
【補正対象書類名】明細書
【補正対象項目名】００２０
【補正方法】変更
【補正の内容】
【００２０】
また、請求項１０に記載された発明の構成は、請求項１に記載された発明において、前記光透過防止溝が前記導光板を穿孔した穿孔部であることを特徴とする。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００４１
【補正方法】変更
【補正の内容】
【００４１】
前記光透過防止溝２１１に光源部２３３を挿入して導光板照明装置２００を構成することは以後に詳らかに説明する。
【手続補正１７】
【補正対象書類名】明細書
【補正対象項目名】００４３
【補正方法】変更
【補正の内容】
【００４３】
そして、基板２３１と光源２３２を含む光源部２３３は、図２に示されるように、プラスチックまたは金属材質からなる保護カバー２３４によって導光板２１０の両側縦断部に支持及び固定することもできるが、図５に示されるように、導光板２１０の両側縦断部に挿入溝２１３を形成して、導光板２１０の内側に向けて発光されるように光源部２３３を挿入設置した後、従来のようなフレーム形態の保護カバー２３４の代りに絶縁テープなどのような保護カバー２３４を利用して挿入溝２１３を塞ぐことも可能である。
【手続補正１８】
【補正対象書類名】明細書
【補正対象項目名】００４４
【補正方法】変更
【補正の内容】
【００４４】
前記のように光透過防止溝２１１で導光板２１０を多くのブロックで区分することで導光板照明装置２００は多様な文様と色彩を表現することが可能となる。その一例として図６に示すように、導光板２１０の中心部にひまわりの種子部分を表現するように円型の光透過防止溝２１１ａを形成して、前記円型の光透過防止溝２１１ａの外側に花びら形象の光透過防止溝２１１ｂを形成することによって、全体的にはひまわり模様を成すように第１ブロック乃至第３ブロックＢＬ１’〜ＢＬ３’に区画して、この時第１ブロックＢＬ１’にはひまわりの種子模様をさらに細密に表現するように直交形象の光反射溝２１２ａ’を形成する。第２ブロックには該当のブロック全体に光反射溝２１２ｂ’を形成する。円型の光透過防止溝２１１ａにはその内側に向けて発光する栗色系列の光源２３２ａ’を挿入設置して、花びら形象の光透過防止溝２１１ｂには、その内側に向けて発光するように黄色系列の光源２３２ｂ’を挿入設置する。
【手続補正１９】
【補正対象書類名】明細書
【補正対象項目名】００４７
【補正方法】変更
【補正の内容】
【００４７】
すなわち、円型の光透過防止溝２１１ａ内に光源部２３３を設置するが、前記光源部２３３は基板２３１の一側面には栗色の光源２３２ａ’が設置されていて、他側面には黄色光源２３２ｂ’が設置されるように構成して、この時栗色の光源２３２ａ’は内側に向けて光を発光し、黄色い光源２３２ｂ’は外側に向けて光を発光するように光源部２３３を設置する構成も可能である。
【手続補正２０】
【補正対象書類名】明細書
【補正対象項目名】００６０
【補正方法】変更
【補正の内容】
【００６０】
そして、図９に示すように、光透過防止溝２１１によって多くのブロックに区分された導光板２１０の特定ブロック後面にカラーシート、紙または布などのシート部材２４２を附着して導光板照明装置２００を構成することで、導光板照明装置２００のブロックごとに異なった色相と質感とを表現することができる。
【国際調査報告】
2010525541.tif 000018
2010525541.tif 000019